(57)【要約】      （修正有）【課題】取扱いにも収納にも便利で美しさ溢れる変形フィギュア形携帯用扇風機を提供する。【解決手段】この携帯用扇風機は、筐体後部の上半部３が開閉式のフィギュア本体１０と、本体１０に内設され、出力軸に柔軟性のある羽根２０を有するモータ３０を備える。さらに、本体１０に内設され、モータ３０を当該モータの軸方向の向きを横方向又は縦方向に転換自在に回動し、柔軟性のある羽根２０を本体１０の内部又は外部に回動変位する枢動装置４０と、本体１０に内設され、モータ３０と電気的に接続されて、モータ３０の起動・停止を制御する電源装置５０とを備えて構成される。【選択図】図１
0003177491.tif 000002
【実用新案登録請求の範囲】
【請求項１】
フィギュア本体と、
前記フィギュア本体に内設され、出力軸に柔軟性のある羽根を有するモータと、
前記フィギュア本体に内設され、前記モータを当該モータの軸方向の向きを横方向又は縦方向に転換自在に回動し、前記柔軟性のある羽根を前記フィギュア本体の内部又は外部に回動変位する枢動装置と、
前記フィギュア本体に内設され、前記モータと電気的に接続されて、前記モータの起動・停止を制御する電源装置と、
を備え、
前記フィギュア本体は、上半部及び下半部を有する筐体前部と、前記筐体前部の下半部に対応する位置に緊結される筐体後部の下半部、及び前記筐体後部の下半部に前記筐体前部から遠い片側一方の端部に枢結され、前記筐体前部の上半部に対応する位置で、前記筐体前部の上半部から離される開状態、及び前記筐体前部の上半部と合わせられる閉状態を呈する、可動式の筐体後部の上半部とから構成され、
前記モータは、前記筐体前部の上半部と前記筐体後部の上半部との間に設けられ、前記モータの左端及び右端に対応する位置にそれぞれ、左回転軸及び右回転軸を有し、前記筐体前部の上半部に隣接する前記モータの側面に保持用凸部を配置され、
前記枢動装置は、前記左回転軸に設けられるギアと、前記上半部にスライド式に内設され、前記ギアと噛合し、前記ギアを回動して前記モータを回動させるラック、及び前記ラックの前記ギアから遠い片側一方の端部に順次配置される押止部、Ｌ字形駆動部と、前記筐体前部の上半部で、前記Ｌ字形駆動部に対応する位置に枢設され、前記ラックを駆動して、前記モータを回動させる枢動部と、前記筐体後部の上半部で、前記筐体後部の下半部との接続部の内側で前記枢動部に対応する位置に配設され、前記筐体後部の上半部を開くときに、前記枢動部に合わせられて、前記枢動部を介して、前記モータを回動させるアクションロッドと、前記筐体前部の上半部に配設され、前記モータを回動させる際に前記保持用凸部と合わせられて又は前記保持用凸部から離されて、前記モータを位置決め又は放出するスナップ・フィット機構とにより構成され、
前記電源装置は、前記筐体前部の上半部で前記右回転軸に対応する片側一方の端部に設けられ、前記モータと電気的接続に接続され、前記モータの起動・停止を制御する電源スイッチと、前記右回転軸に設けられ、前記電源スイッチの上に位置し、前記モータの回動により、前記電源スイッチをオン又はオフに切り替える制御用凸部と、前記筐体前部の下半部と前記筐体後部の下半部との間に設けられ、前記電源スイッチと電気的に接続されて、前記モータを駆動する電源とから構成される、
ことを特徴とする変形フィギュア形携帯用扇風機。
【請求項２】
前記筐体前部と前記筐体後部の上半部及び下半部との間に、前記モータ、前記枢動装置及び前記電源装置を位置決めするためのスペーサを設けられることを特徴とする請求項１に記載の変形フィギュア形携帯用扇風機。
【請求項３】
前記スペーサの前記モータに対応する位置に第一開口部が、前記枢動部に対応する位置に第二開口部が設けられることを特徴とする請求項２に記載の変形フィギュア形携帯用扇風機。
【請求項４】
前記筐体後部の上半部の内側の縁部に少なくとも一つ、前記筐体後部の上半部を閉める際に当該上半部を位置決めするための位置決め用凹部が設けられ、また、前記スペーサの前記位置決め用凹部に対応する位置に、位置決め用保持部が設けられることを特徴とする請求項２に記載の変形フィギュア形携帯用扇風機。
【請求項５】
前記スナップ・フィット機構は、前記筐体前部の上半部に前記モータに対応する位置に設けられ、前記モータを回動させる際に前記保持用凸部と合わせられるく字形着接部と、前記く字形着接部の前記モータに隣接する一方端に設けられ、前記モータを枢動させる際に前記保持用凸部と合わせるフック状保持部と、前記く字形着接部の前記モータから遠い他方端に設けられる柱状突起と、前記柱状突起に覆設され、一端が前記筐体前部の上半部から突き出され、前記モータを放出するためのボタンと、前記柱状突起と前記ボタンとの間に覆設される第一バネと、前記く字形着接部の一方端で前記フック状保持部とは反対側に設けられ、前記筐体前部の上半部に接続するための第二バネとから構成される、ことを特徴とする請求項１に記載の変形フィギュア形携帯用扇風機。
【請求項６】
前記左回転軸の一端及び前記枢動部の枢接される端にそれぞれ、ねじりバネが設けられることを特徴とする請求項１に記載の変形フィギュア形携帯用扇風機。
【請求項７】
前記筐体前部の上半部の前記ラックに対応する位置にスライド溝が設けられることを特徴とする請求項１に記載の変形フィギュア形携帯用扇風機。
【請求項８】
前記電源は前記電源スイッチに電気的に接続される少なくとも一つの電池から構成され、前記筐体前部の下半部と前記筐体後部の下半部の前記電池の下端に対応する位置に、前記電池を位置決めするための電池フタが設けられることを特徴とする請求項１に記載の変形フィギュア形携帯用扇風機。
【請求項９】
前記筐体後部の下半部の上端及びこれに対応する前記筐体前部の位置の両者の外側に位置決めリングが周設されることを特徴とする請求項１に記載の変形フィギュア形携帯用扇風機。
【請求項１０】
前記位置決めリングは対をなし、前記筐体後部及び前記筐体前部の相対位置に設けられる第一リングと第二リングから構成されることを特徴とする請求項９に記載の変形フィギュア形携帯用扇風機。
【請求項１１】
前記筐体前部の上半部及び前記筐体後部の上半部の両者の前記モータに対応する定着端に、前記モータに対応する切り欠きが設けられることを特徴とする請求項１に記載の変形フィギュア形携帯用扇風機。
【請求項１２】
前記フィギュア本体に、前記電源スイッチと前記電源が電気的に接続される接続部間に挟まれて設置され、使用者により前記電源を制御するための安全スイッチを備えることを特徴とする請求項１に記載の変形フィギュア形携帯用扇風機。
【請求項１３】
前記安全スイッチは、前記フィギュア本体に内設され、前記電源スイッチと前記電源との間で両者と電気的に接続されるディップスイッチと、一端が前記ディップスイッチに接続され、他端が前記フィギュア本体から突き出されて、使用者が前記ディップスイッチを制御するためのトグルスイッチとから構成されることを特徴とする請求項１２に記載の変形フィギュア形携帯用扇風機。
【考案の詳細な説明】
【技術分野】
【０００１】
本考案は、変形フィギュア形携帯用扇風機に関する。
に関する。
【背景技術】
【０００２】
蒸し暑い夏に、室内環境での悪い空気循環は、勉強や労働の効率を悪くする結果につながる。
そこで、業者は小型で安全な携帯用の扇風機を提供している。この種の扇風機は、柔軟性のある羽根が採用されることで、安全性が高いだけでなく、羽根に打たれたとしても痛くなく、室内環境での空気循環を改善することができる。また、労働環境でも、安全で、静かに、涼感を与えることができ、労働効率の改善にもつながる。
このような安全な携帯用扇風機は携帯するにも使用するにも便利だが、使用する際に冷風を提供する機能だけで、娯楽の方の機能では目立つところがないので、業者としては、扇風機の外観のデザインを変更することにより、消費者の目を引いて需要を喚起しようとする。それでも、長く使用しているうちに、消費者は飽きがきやすく、思い出した時にしか使わないようになり、携帯用扇風機は捨て置かれることになる。
【考案の概要】
【考案が解決しようとする課題】
【０００３】
従来の一般的な携帯用扇風機では、次のような問題がある。
（１）本体の形状を変化させる工夫を施すことでそれなりの外観を呈するが、羽根に限られるため、本体の形状のデザインには制限があり、羽根に合わせる必要がある。
（２）羽根が露出しているため、外力の引っ張りにより脱落しやすく、それを維持するのもたやすくない。
（３）携帯、使用の点では従来の扇風機よりよいが、羽根の影響で、携帯用扇風機の収納性の点ではそれほど便利ではない。
【０００４】
本考案は、このような従来の問題点に鑑み、安全性が高く、携帯性、使用性の点で便利な効果は維持することを前提に、収納性の点でも、外観のデザイン性の点でも、さらにメンテナンスが容易でない点も含めて、これらの問題点を解決しようとするものである。
そこで、本考案は、取り扱いにも収納にも便利で、美しさのあふれる変形フィギュア形携帯用扇風機を提供すること、を目的とする。
【課題を解決するための手段】
【０００５】
上記問題点を解決し、上記の目的を達成するために、本考案の変形フィギュア形携帯用扇風機は、フィギュア本体と、前記フィギュア本体に内設し、片端には柔軟性のある羽根を有するモータと、前記フィギュア本体に内設し、前記モータを枢動させることで横方向や縦方向に自在に転換できることにより、前記柔軟性のある羽根を前記フィギュア本体の内部又は外部に枢動できる枢動装置と、前記フィギュア本体に内設し、前記モータと電気的接続を行うことにより前記モータの起動・停止を制御する電源装置とを備え、前記フィギュア本体は上半部と下半部を有する筐体前部と、前記筐体前部の下半部に対応する位置に緊結する筐体後部の下半部と、前記筐体後部の下半部と筐体前部から遠い片端に枢結し、前記筐体前部の上半部に対応する位置に、前記筐体前部の上半部と合わせることにより、開状態や閉状態を呈することができ、可動式の筐体後部の上半部とから形成され、前記モータは前記筐体前部の上半部と筐体後部の上半部との間に設けられ、前記モータと接続する左端と右端に対応する位置に、それぞれ左回転軸と右回転軸を設け、さらに前記上半部に隣接する前記モータの側面に保持用凸部が配置され、前記枢動装置は前記左回転軸に隣接する自由端に設けられるギアと、前記上半部にスライド式で内設され、前記ギアと噛合し、前記ギアから遠い片端に順次に配置される押止部とＬ字形駆動部を有し、前記モータを枢動させるラックと、前記上半部で、前記Ｌ字形駆動部に対応する位置に枢設され、前記ラックを変位させることにより、前記モータを枢動させる枢動部と、前記筐体後半の上半部で、接続部の内側に前記枢動部に対応する位置に、前記枢動部と合わせることによって、前記筐体後部の上半部を開くときに、前記枢動部を通じて、前記モータを枢動させるアクションロッドと、前記筐体前部の上半部に、前記モータを枢動させる際に前記保持用凸部と合わせることによって、前記モータを位置決め又は放出するためのスナップ・フィット機構から構成され、前記電源装置は、前記右回転軸に対応する片端に、前記モータと電気的接続を行い、前記モータの起動・停止を制御する電源スイッチと、前記右回転軸の自由端に、前記電源スイッチの上に位置し、前記モータを枢動させた後、前記電源スイッチをオン又はオフに切り替えるための制御用凸部と、前記筐体前部の下半部と前記筐体後部の下半部との間に、前記電源スイッチと電気的接続を行い、前記モータを駆動するための電源から構成される、ことを要旨とする。
【０００６】
また、この携帯用扇風機は、各部に次のような構成が採用されることが好ましい。
（１）前記筐体前部と前記筐体後部の上半部と前記筐体後部の下半部との間に、前記モータと前記枢動装置と前記電源装置及び位置決めするための前記スペーサを設けられる。この場合、前記スペーサの前記モータに対応する位置に第一開口部が、前記枢動部に対応する位置に第二開口部が設けられることが好ましい。
（２）前記筐体後部の上半部内側の縁に、前記筐体後部の上半部を閉める際に位置決めするための少なくとも一つの凹部が設けられ、また、前記スペーサの前記位置決め用凹部に対応する位置に、位置決め用保持部が設けられる。
（３）前記スナップ・フィット機構は前記筐体前部の上半部に前記モータに対応する位置に設けられ、前記モータを枢動させる際に前記保持用凸部と合わせるく字形着接部と、前記く字形着接部の前記モータに隣接する片端に設けられ、前記モータを枢動させる際に前記保持用凸部と合わせるフック状保持部と、前記く字形着接部の前記モータから遠い片端に設けられる柱状突起と、片端が前記筐体前部の上半部に突き出るし、前記モータを放出するための前記柱状突起に覆設されるボタンと、前記柱状突起と前記ボタンとの間に覆設される第一バネと、前記く字形着接部の前記フック状保持部に対応する反対側に設けられ、前記筐体前部の上半部に接続するための第二バネとから構成される。
（４）前記左回転軸の自由端及び前記枢動部の枢接する端に、それぞれねじりバネが設けられる。
（５）前記筐体前部の上半部の前記ラックに対応する位置にスライド溝が設けられる。
（６）前記電源は前記電源スイッチと電気的接続を行う少なくとも一つの前記電池から構成され、前記筐体前部の下半部と前記筐体後部の下半部の前記電池の下端に対応する位置に、前記電池を位置決めするための電池フタが設けられる。
（７）前記筐体後部の下半部の上端に、これが前記筐体前部に対応する位置に、両者の外側に位置決めリングが周設される。この場合、前記位置決めリングはペアで相対位置に設けられる第一リングと第二リングから形成されることが好ましい。
（８）前記筐体前部の上半部と前記筐体後部の上半部と両者の前記モータに対応する定着端に、前記モータに対応する切り欠きが設けられる。
（９）前記フィギュア本体の片端に、前記電源スイッチと前記電源と電気的に接続される間に挟まれ、使用者が自分で前記電源を制御できる安全スイッチを有する。
（１０）前記安全スイッチは、前記フィギュア本体に内設されると同時に、前記電源スイッチと前記電源との間に前記両者と電気的に接続されるディップスイッチと、片端に前記ディップスイッチと接続されると同時に、前記フィギュア本体に突き出る反対側に設けられ、使用者が前記ディップスイッチを制御できるトグルスイッチと、から構成される。
【考案の効果】
【０００７】
本考案の変形フィギュア形携帯用扇風機では、フィギュア本体と、柔軟性のある羽根を有するモータと、枢動装置及び電源装置とを組み合わせることにより、モータを枢動させることでの放出又は収納することができるので、取り扱いに便利だけではなく、収納にも外観デザインにもメンテナンスにも容易ではないといった問題点を有効的に解決できる。
また、本考案の変形フィギュア携帯扇風機では、枢動装置と電源装置とを応用する電子式ではない機械式に近い設計なので、信頼性が高いのは勿論、全体のコストダウンにつながるだけではなく、維持とメンテナンスも容易になる。もし故障が発生しても、簡単に修理することができ、寿命が短いという問題が発生することはない。
【図面の簡単な説明】
【０００８】
【図１】本考案の一実施の形態における変形フィギュア形携帯用扇風機の構成を示す斜視図
【図２】同携帯用扇風機の内部の構成を示す分解斜視図
【図３】同携帯用扇風機の内部の各部の構成を示す分解斜視図
【図４】同携帯用扇風機の使い方を示す斜視図
【図５】同携帯用扇風機の使い方（図４のつづき）を示す斜視図
【図６】同携帯用扇風機の図４、図５に示す使用時の内部の各部の動作を示す斜視図
【図７】同携帯用扇風機の使い方（図５のつづき）を示す斜視図
【図８】同携帯用扇風機の使い方（図７のつづき）を示す斜視図
【図９】同携帯用扇風機の使い方（図８のつづき）を示す斜視図
【図１０】同携帯用扇風機の図７から図９までに示す使用時の内部の各部の動作を示す斜視図
【図１１】同携帯用扇風機に安全スイッチを備えた状態を示す斜視図
【図１２】同携帯用扇風機の安全スイッチの動作を示す斜視図
【考案を実施するための形態】
【０００９】
次に、この考案を実施するための形態について図を用いて説明する。図１は変形フィギュア形携帯用扇風機の全体構成を示し、図２はこの携帯用扇風機の内部の構成を示し、図３はこの携帯用扇風機の内部の各部の構成を示している。
図１乃至図３に示すように、変形フィギュア形携帯用扇風機は、フィギュア本体１０と、フィギュア本体１０に内設され、出力軸に柔軟性のある羽根２０を有するモータ３０と、フィギュア本体１０に内設され、モータ３０をモータ３０の軸方向の向きを横方向又は縦方向に転換自在に回動し、柔軟性のある羽根２０をフィギュア本体１０の内部又は外部に回動変位する枢動装置４０と、フィギュア本体１０に内設され、モータ３０と電気的に接続されて、モータ３０の起動・停止を制御する電源装置５０とを備える。
【００１０】
フィギュア本体１０は、上半部１１及び下半部１２を有する筐体前部１と、筐体前部１の下半部１２に対応する位置に緊結される筐体後部の下半部２と、筐体後部の下半部２の上部で筐体前部１から遠い片側一方の端部（筐体前部１とは反対側の端部）に枢結され、筐体前部１の上半部１１に対応する位置で、筐体前部１の上半部１１から離される開状態、及び筐体前部１の上半部１１と合わせられる閉状態を呈する、可動式の筐体後部の上半部３とから構成される。
【００１１】
モータ３０は、筐体前部の上半部１１と筐体後部の上半部３の間に設けられ、モータ３０の左端と右端の対応する位置にそれぞれ、左回転軸４と右回転軸５が設けられ、さらに、筐体前部の上半部１１に隣接するモータ３０の側面に保持用凸部６が配置される。
【００１２】
枢動装置４０は、左回転軸４に設けられるギアＡと、筐体前部の上半部１１にスライド式に内設され、ギアＡと噛合し、ギアＡを駆動してモータ３０を回動させるラックＢ、及びラックＢのギアＡから遠い片側一方の端部に順次配置される押止部Ｂ１、Ｌ字形駆動部Ｂ２と、筐体前部の上半部１１で、Ｌ字形駆動部Ｂ２に対応する位置に枢設され、ラックＢを変位させて、モータ３０を回動させる枢動部Ｃと、筐体後部の上半部３で、下半部２との接続部の内側の枢動部Ｃに対応する位置に設けられ、筐体後部の上半部３を開くときに、枢動部Ｃと合わせることによって、この枢動部Ｃを介して、モータ３０を回動させるアクションロッドＤと、筐体前部１の上半部１１に設けられ、モータ３０を回動させた際に保持用凸部６と合わせることによって、モータ３０を位置決め又は放出するためのスナップ・フィット機構Ｅとから構成される。
【００１３】
電源装置５０は、筐体前部１の上半部１１で右回転軸５に対応する片側一方の端部に設けられ、モータ３０と電気的に接続されて、モータ３０の起動・停止を制御する電源スイッチＦと、右回転軸５に設けられ、電源スイッチＦの上に位置し、モータ３０を回動させるときに、電源スイッチＦをオン又はオフに切り替えるための制御用凸部Ｇと、筐体前部１の下半部１２と筐体後部の下半部２との間に設けられ、電源スイッチＦと電気的に接続され、モータ３０を駆動するための電源Ｈとから構成される。
【００１４】
このようにこの携帯用扇風機では、フィギュア本体１０と、柔軟性のある羽根２０を有するモータ３０と、枢動装置４０及び電源装置５０とを組み合わせ、枢動装置４０により、モータ３０を筐体から放出又は筐体に収納するようになっている。したがって、フィギュア本体１０に合わせれば、柔軟性のある羽根２０のメンテナンス又は収納が容易でないという問題を心配する必要がなくなる。
また、柔軟性のある羽根２０とモータ３０がフィギュア本体１０の中に収納されるので、フィギュア本体１０の外観のデザインは、柔軟性のある羽根２０の影響を心配することなく、より自由に変更が可能となる。これにより、消費者の目をひきつけ、産業上の利用可能性を有するものとなる。
さらに、この携帯用扇風機では、枢動装置４０と電源装置５０とを用いる電子式でなく機械式に近い設計なので、この携帯用扇風機の維持とメンテナンスが容易になるだけでなく、全体のコストダウンにもつながる。もし故障が発生しても、簡単に修理することができると同時に、一般の携帯用扇風機よりも寿命が長く、安全である。
【００１５】
この携帯用扇風機の場合、筐体前部１と筐体後部の上半部２及び下半部３との間に、モータ３０、枢動装置４０及び電源装置５０を位置決めするためのスペーサ７が設けられる。この場合、スペーサ７のモータ３０に対応する位置に第一開口部７１が、枢動部Ｃに対応する位置に第二開口部７２が設けられる。このスペーサ７により、内部の部品を位置決め又は固定することができる。これにより、生産又は組立が便利になり、生産効率の向上にもつながる。なお、スペーサ７に第一開口部７１と第二開口部７２が設けられるため、モータ３０と枢動部Ｃがスムーズに正常に動作できる。
【００１６】
筐体後部の上半部３の内側の縁部には少なくとも一つ、筐体後部の上半部３を閉める際に当該上半部３を位置決めするための位置決め用凹部３１が設けられ、また、スペーサ７のこの位置決め用凹部３１に対応する位置には、位置決め用保持部７３が設けられる。このようにして位置決め用凹部３１と位置決め用保持部７３を組み合わせることにより、筐体後部の上半部３を閉める際にこの上半部３をしっかりと位置決めでき、ぶつかることによる誤作動防止が可能である。
【００１７】
スナップ・フィット機構Ｅは、筐体前部１の上半部１１にモータ３０に対応する位置に設けられ、モータ３０を回動させる際に保持用凸部６と合わせるく字形着接部Ｅ１と、く字形着接部Ｅ１のモータ３０に隣接する片側一方の端部に設けられ、モータ３０を回動させる際に保持用凸部６と合わせるフック状保持部Ｅ２と、く字形着接部Ｅ１のモータ３０から遠い片側他方の端部に設けられる柱状突起Ｅ３と、柱状突起Ｅ３に覆設されて、一端が筐体前部１の上半部１１から突き出され、モータ３０を放出するためのボタンＥ４と、柱状突起Ｅ３とボタンＥ４との間に覆設される第一バネＥ５と、く字形着接部Ｅ１の片側一方の端部のフック状保持部Ｅ２とは反対側に設けられ、筐体前部１の上半部１１に接続するための第二バネＥ６とから構成される。
このようにして、く字形着接部Ｅ１とフック状保持部Ｅ２と柱状突起Ｅ３とボタンＥ４と第一バネＥ５と第二バネＥ６とを組み合わせることにより、回動後のモータ３０を簡単にしっかりと位置決めする。しかも、これにより、消費者は速やかにモータ３０を閉合及び収納することが可能である。
左回転軸４の一端及び枢動部Ｃの枢接される端にそれぞれ、ねじりバネ８が設けられる。このねじりバネ８により、モータ３０及び枢動部Ｃが自動的に元の位置に戻されるため、モータ３０及び枢動部Ｃに正常な動作が可能である。
筐体前部１の上半部１１のラックＢに対応する位置にスライド溝１１１が設けられる。このスライド溝１１１により、ラックＢがスムーズに滑り動くため、外部からの衝撃による位置ずれや誤作動又は故障を防止することが可能である。
【００１８】
電源Ｈは電源スイッチＦと電気的に接続される少なくとも一つの電池Ｈ１から構成され、筐体前部１の下半部１２と筐体後部の下半部２の電池Ｈ１の下端に対応する位置に、電池Ｈ１を位置決めするための電池フタＨ２が設けられる。この電池Ｈ１と電池フタＨ２の組み合わせにより、安定化電源を提供できるだけでなく、消費者の電池交換もより便利になる。
【００１９】
筐体後部の下半部２の上端及びこれに対応する筐体前部１の位置の両者の外側に位置決めリングＪが周設される。この位置決めリングＪはペアで（対をなし）、筐体前部、筐体後部の相対位置に設けられる第一リングＪ１と第二リングＪ２から構成される。この位置決めリングＪにより、筐体後部の下半部２と筐体前部１が接続され、内部の部品がよりしっかりと位置決め又は固定されるため、位置ずれが発生しないだけでなく、一定の解体防止機能になっている。
また、筐体前部１の上半部１１と筐体後部の上半部３の両者のモータ３０に対応する定着端に、モータ３０に対応する切り欠き９が設けられる。この切り欠き９により、モータ３０が放出されても、安定的に動作できるため、揺れが出ることがない。
【００２０】
図４、図５にこの携帯用扇風機の使い方を示し、図６にこの携帯用扇風機の図４、図５に示す使用時の内部の各部の動作を示している。
図４乃至図６に示すように、筐体を開く際に、まず筐体後部の上半部３を開くと、アクションロッドＤが枢動部Ｃに突き当たる。これにより、Ｌ字形駆動部Ｂ２が下方に移動するとともに、ラックＢが駆動される。このラックＢの駆動により、ギアＡと左回転軸４が回動されるため、モータ３０が筐体前部１の上半部１１から突き出されるとともに、モータ３０の軸方向の向きが横方向から縦方向に転換される。
このモータ３０の回動と同時に、右回転軸５も回動する。これにより、制御用凸部Ｇが電源スイッチＦに突き当たり、モータ３０が電源Ｈと電気的に接続されて、柔軟性のある羽根２０が回転する。
また、モータ３０が縦方向に転換される際に、スナップ・フィット機構Ｅのフック状保持部Ｅ２がモータ３０の保持用凸部６に係合し、モータ３０が位置決めされる。そして、筐体後部の上半部３を閉めると、涼感を与える携帯用扇風機となる。
【００２１】
図７、図８及び図９に図５につづくこの携帯用扇風機の使い方を示し、図１０にこの携帯用扇風機の図７から図９までに示す使用時の内部の各部の動作を示している。
図７乃至図１０に示すように、筐体を開く際、まず、筐体後部の上半部３を開いて、ボタンＥ４を押すと、く字形着接部Ｅ１が動作することで、フック状保持部Ｅ２がモータ３０の保持用凸部６から離される。また、左回転軸４の一端のねじりバネ８により、モータ３０が元の位置に戻されるとともに、ギアＡが回動し、ラックＢもまた元に戻される。この場合、押止部Ｂ１を以って、ラックＢが戻りすぎないという作用がある。したがって、モータ３０のスペーサ７への衝突防止が可能である。
また、モータ３０の回動とともに、右回転軸５も回動する。これにより、制御用凸部Ｇが電源スイッチＦから離され、モータ３０が電源Ｈと電気的に接続されない状態になって、柔軟性のある羽根２０の回転が停止される。これにより、安全性が高いという効果が得られる。
モータ３０が元の位置に戻された後、最後に筐体後部の上半部３を閉めると、モータ３０が収納される。これにより、収納を便利に行えるという効果が得られる。
また、この携帯用扇風機では、フィギュアとして使用されることが可能なため、幅広い利用性を持っている。
【００２２】
図１１にこの携帯用扇風機に採用される安全スイッチを示し、図１２にこの安全スイッチの動作を示している。
図１１及び図１２に示すように、この携帯用扇風機では、フィギュア本体１０の片側一方の端部に、電源スイッチＦと電源Ｈが電気的に接続される接続部間に挟まれて設置され、使用者が自分で電源Ｈを制御できる安全スイッチＫを備える。
この安全スイッチＫは、フィギュア本体１０に内設され、電源スイッチＦと電源Ｈとの間に両者と電気的に接続されるディップスイッチＫ１と、一端がディップスイッチＫ１と接続され、他端がフィギュア本体１０から突き出されて、使用者がディップスイッチＫ１を制御できるトグルスイッチＫ２とから構成される。
このように安全スイッチＫが設けられることにより、安全性がより高くなるという効果が得られる。これは、保険を契約しているのと同じように、幼い子供が手を入れて、うっかりして柔軟性のある羽根２０に打たれることを心配することがなく、安全な使用が可能である。しかも、柔軟性のある羽根２０とモータ３０を収納せず、電源を切ることが可能である。このため、この携帯用扇風機は省電力で、次回の使用にも便利であるという効果があり、実用性が高くなる。
【００２３】
以上の説明から明らかなように、この携帯用扇風機では、フィギュア本体１０と、柔軟性のある羽根２０を有するモータ３０と、枢動装置４０と、電源装置５０とを組み合わせ、モータ３０を回動させることで筐体から放出又は収納するようにしたので、本来の効果を維持するという前提のもと、収納性、外観のデザイン性、さらにメンテナンスも容易ではないなどといった従来の問題点を有効に解決することができる。したがって、この携帯用扇風機は、従来の携帯用扇風機に比べて、応用性、実用性、有効性のいずれもが高く、産業上の利用可能性を有するという効果がある。
【００２４】
なお、以上の実施の形態は、本考案の構造と、特徴及び作用効果を説明するために用いられるものであり、これを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００２５】
１  筐体前部
１１  上半部
１１１  スライド溝
１２  下半部
２  筐体後部の上半部
３  筐体後部の下半部
３１  位置決め用凹部
４  左回転軸
５  右回転軸
６  保持用凸部
７  スペーサ
７１  第一開口部
７２  第二開口部
７３  位置決め用保持部
８  ねじりバネ
９  切り欠き
１０  フィギュア本体
２０  柔軟性のある羽根
３０  モータ
４０  枢動装置
５０  電源装置
Ａ  ギア
Ｂ  ラック
Ｂ１  押止部
Ｂ２  Ｌ字形駆動部
Ｃ  枢動部
Ｄ  アクションロッド
Ｅ  スナップ・フィット機構
Ｅ１  く字形着接部
Ｅ２  フック状保持部
Ｅ３  柱状突起
Ｅ４  ボタン
Ｅ５  第一バネ
Ｅ６  第二バネ
Ｆ  電源スイッチ
Ｇ  制御用凸部
Ｈ  電源
Ｈ１  電池
Ｈ２  電池フタ
Ｊ  位置決めリング
Ｊ１  第一リング
Ｊ２  第二リング
Ｋ  安全スイッチ
Ｋ１  ディップスイッチ
Ｋ２  トグルスイッチ
【図１】
0003177491.tif 000003
【図２】
0003177491.tif 000004
【図３】
0003177491.tif 000005
【図４】
0003177491.tif 000006
【図５】
0003177491.tif 000007
【図６】
0003177491.tif 000008
【図７】
0003177491.tif 000009
【図８】
0003177491.tif 000010
【図９】
0003177491.tif 000011
【図１０】
0003177491.tif 000012
【図１１】
0003177491.tif 000013
【図１２】
0003177491.tif 000014